(57)【特許請求の範囲】
【請求項１】
細長い板状体で、先端に係合突部を、基端に支軸を夫々有し、回転型の障子又は扉に取り付けられる中空の収納ケースに対し、収納ケースの前面のフロント板の開口を通じて進退及び傾動可能に、かつ回動可能に装着され、後退する方向に付勢されたガードアームと、収納ケースの内部空間を前方のガードアーム収納部と後方の空間部とに区画する仕切板と、障子枠又は扉枠に取り付けられ、ガードアーム装置の作動時その係合突部と係合する嵌め孔、及びこれに連設された案内長孔からなる係合長孔を開口させたストライクと、収納ケース内において所定の方向に移動可能に案内されると共に室内側の操作手段に連係され、ガードアーム作動時ガードアームを収納位置から作動位置に向け突出させる突片を有する作用部材とを有するものにおいて、ガードアームが出入りするフロント板の開口の幅を広げて、ガードアームが多少傾いても開口に納まるようにすると共に、仕切板を前方から見て断面台形に折曲し、その少なくともガードアームの先端が収納される部分の台形の頂辺の長さをガードアームの幅程度に、底辺の長さをフロント板の開口の幅程度に設定したことを特徴とするガードアーム装置。
【発明の詳細な説明】
【０００１】
【発明の属する技術分野】
この発明は、窓の障子や扉を通気や郵便物の受け渡しの為に半開きとするガードアーム装置に係り、特に、扉や障子を閉鎖するとき、ガードアームを収納ケースに確実に復帰させることができるガードアーム装置に関する。
【０００２】
【従来の技術】
ガードアーム装置は従来種々のものが提案されまた実用されているが、図１乃至図４に示すものはガードアーム装置の非作動時ガードアームが自動的に収納ケース内に復帰するので使い勝手がよい。
【０００３】
図示の実施例におけるガードアーム装置は回転窓に適用されたもので、先ずその構造を簡単に説明する。
【０００４】
このガードアーム装置は、図１及び図２に示すように、窓ガラス１を有する回転窓の障子２の自由側端縁部と障子枠３との間に装着され、障子２側に設けられた収納ケース４と、障子枠３側に設けられたストライク５とを有している。
【０００５】
回転型の障子２の自由側端縁又は障子枠にフランジ部においてねじ６等で取り付けられる箱状をなす細長い中空の収納ケース４は、フロント板７に開口８を有し、ガードアーム装置の非作動時にはその開口８を通じガードアーム９が収納される。
【０００６】
符号１１は収納ケース４内に傾斜させて設けた仕切り板で、前方のガードアーム収納部と後方の空間部とを仕切っている。その仕切り板１１の中央部分には後述の作用部材１２を装着する為の逃がし孔１３が設けられている。
【０００７】
ガードアーム９は細長い板状をなし、その先端に前方に向け固設されたフランジ付の係合突部１４を有し、基端には後方に向け固設された支軸１５を有する。そして、該ガードアーム９は収納ケース４に対し支軸１５において進退及び傾動可能かつ回動可能に装着されている。
【０００８】
なお、図１で符号１６はガードアーム９の支軸１５を進退及び傾動可能かつ回動可能に支持するための支持板で、収納ケース４に対して固定してある。
【０００９】
更に、前記のガードアーム９は支軸１５に巻装された圧縮コイルばね等の付勢手段１７により後退する方向に付勢させてあり、図示例の圧縮コイルばね１７は、その長さ方向については、前記の支持板１６と、支軸１５の後部に固設され、この発明に関係が無いのでその機能の説明を省略するカム片１８との間に挟持弾設させてある。
【００１０】
ガードアーム９の係合突部１４をガードアームの作動時に係合案内させるストライク５は、障子枠３の所定位置にフランジ部においてねじ６等で固定されるものである。
【００１１】
図示例の如く例えば浅い箱形に形成されるストライク５の前面部には、図３及び図５に明示するように、ガードアーム９における係合突部１４の先端のフランジ状の膨出部１４ａの径よりも大径の嵌め孔１９及びそれに連続する幅狭の案内長孔２１から成る係合長孔２２を備えている。
【００１２】
上記のように構成されたガードアーム装置は、室内側の操作摘み２３を手指で下降させると、図４に示すように、その内端の脚片２４、２４に挟持された前記作用部材の連係片２５が下降し、突片２６がガードアーム９の先端部を付勢手段１７に抗して収納ケース４外に突出させる。
【００１３】
すると、図１に示すように、係合突部１４がストライクの嵌め孔１９内に嵌まり込み、そこで障子２が開放されると、図５に鎖線で示すように、ガードアーム９はその係合突部１４がストライク５の案内長孔２１に案内されることにより支軸１５を中心として回動する一方で、ガードアーム９の長さに応じて障子２の開放角度を制限する。
【００１４】
一方、障子を閉め、ガードアーム９とストライク５とを障子の見込み方向において整合させてから操作摘み２３（図２参照）を押上げると、ガードアーム９は付勢手段１７の弾力により自動的に収納ケース４内に引込む。
【００１５】
【発明が解決しようとする課題】
ところで、従来のガードアーム装置は、図５に示すように、ガードアーム９の側端縁と開口８の開口端縁との余裕が無いので、ガードアーム９が収納ケース４内に引込むときガードアーム９が傾いているとガードアーム９の内面が開口８の開口端縁に引っ掛かって収納ケース４内に引込まない状態が生じる。
【００１６】
これを防止するため開口８の幅を大きくすると、ガードアーム９が傾いたままで収納ケース４内に引込むので、ガードアーム装置の次の作動時その係合突部１４がストライクの係合長孔２２と係合できない場合が生じる、という不都合がある。
【００１７】
この発明は、ガードアームが多少傾いていてもガードアームを確実に収納ケース内に引込ませることができるストライクを提供し、もって上記した不都合を解消することを目的としている。
【００１８】
【課題を解決するための手段】
上記の目的を達成するため、請求項１に記載の発明は、細長い板状体で、先端に係合突部を、基端に支軸を夫々有し、回転型の障子又は扉に取り付けられる中空の収納ケースに対し、収納ケースの前面のフロント板の開口を通じて進退及び傾動可能に、かつ回動可能に装着され、後退する方向に付勢されたガードアームと、収納ケースの内部空間を前方のガードアーム収納部と後方の空間部とに区画する仕切板と、障子枠又は扉枠に取り付けられ、ガードアーム装置の作動時その係合突部と係合する嵌め孔、及びこれに連設された案内長孔からなる係合長孔を開口させたストライクと、収納ケース内において所定の方向に移動可能に案内されると共に室内側の操作手段に連係され、ガードアーム作動時ガードアームを収納位置から作動位置に向け突出させる突片を有する作用部材とを有するものにおいて、ガードアームが出入りするフロント板の開口の幅を広げて、ガードアームが多少傾いても開口に納まるようにすると共に、仕切板を前方から見て断面台形に折曲し、その少なくともガードアームの先端が収納される部分の台形の頂辺の長さをガードアームの幅程度に、底辺の長さをフロント板の開口の幅程度に設定したことを特徴とする。
【００１９】
【発明の実施の形態】
以下図６乃至図１０を参照してこの発明について説明する。
この発明の要旨を一言で述べると、図６に示すように、フロント板７の開口８の幅を広げてガードアーム９が多少傾いても開口８に納まるようにすると共に、仕切板１１を前方から見て横断面台形の樋状に折曲げ、その少なくともガードアームの先端が収納される部分の台形の頂辺の長さをガードアームの幅程度に、底辺の長さをフロント板の開口の幅程度に設定する。
【００２０】
上記のように構成されたこの発明によるガードアーム装置は、開口８の幅に余裕があるから、収納ケース４への復帰時ガードアーム９が多少振れてもその先端が開口８内に納まる。
【００２１】
そして、付勢手段１７（図４参照）の弾力によりガードアーム９が収納ケース４内、具体的にはフロント板７と仕切板１１との間の空間、に納まるとき、図６に示すようにガードアーム９が傾いていなければその儘真っ直ぐに収納ケース内に納まる。
【００２２】
一方、ガードアーム９が傾いていてその先端が左右どちらかに振れている場合には、ガードアームの先端が仕切板の袖板２７の斜面に当接し、楔作用により、ガードアームが真っ直ぐになるように角度位置の修正をされつつ、袖板２７に沿って滑って基準の角度位置、すなわち図６に示すような時計の盤面における６時丁度の角度位置になる。
【００２３】
なお、本出願人が先に提案した扉用のガードアーム装置、例えば実願平５−４３９０８号によって提案されたガードアーム装置のように仕切板が断面コ字形の場合には、その両袖を拡開して横断面台形にすればよい。
【００２４】
一方、図示の実施例における回転型障子のガードアーム装置のようにスペースを節約するために仕切板が斜めになっている場合には、少し工夫を要する。
【００２５】
すなわち、図７に示すように、図示の実施例における仕切板７は、一面が開口し、正面から見て一端（上端）が浅く下端が深い箱状をしており、その開口側端縁にはフランジ２８が一体に形成されていて、図８に示すように、このフランジ２８を収納ケース４の開口端縁とフロント板７によって挟持するようにして収納ケースに装着される。
【００２６】
一方、仕切板８の幅は上端が大きく下端が小さく設定されている。すなわち、図面を明瞭にするため寸法差を誇張した図９に示すように、仕切板８の上端の幅ｘと、下端の幅に両袖板２７、２７の左右方向の張り出し量を加えた値ｘを同一寸法とする。
【００２７】
そして、図９の点線にそって袖板２７、２７を切断し、図１０に示すようにその切断端縁にフランジ２８、２８を一体に形成すれば、これらのフランジ２８、２８は相互に平行になる。なお、図１０においては実施例の仕切板８の上端における連結板、及び下端の底板を省略してある。
【００２８】
【発明の効果】
以上の説明から明らかなように、本発明は、ガードアームが出入りするフロント板の開口の幅を大きくすると共に、仕切板を前方から見て断面台形に折曲し、そのガードアームの先端が収納される部分の台形の頂辺の長さをガードアームの幅程度に、底辺の長さをフロント板の開口の幅程度に設定したから、ガードアームが少し傾いた状態で復帰しても開口を通過することができ、確実にガードアームを収納することができる。
【００２９】
また、ガードアームが傾いて開口を通過する場合、袖板との楔作用によりガードアームの角度調整が自動的に行われる、等種々の効果を奏する。
【図面の簡単な説明】
【図１】窓用のガードアーム装置の実施例を常態（ガードアームの非作動状態）で示す部分縦断側面図。
【図２】その平面図。
【図３】図１の実施例から取り外したストライクを示す図で、（Ａ）は正面図、（Ｂ）は側面図である。
【図４】図１の実施例をガードアームの作動状態で示す縦断部分側面図。
【図５】そのガードアーム作動状態におけるガードアームとストライクとの係合態様を障子を開放させて示す説明図で、フレーム及びガードアームは正面から見て表わしてあり、ストライクは背面から見て表わしてある。
【図６】この発明の一実施例によるガードアーム装置の正面図で、ガードアームを鎖線で示す。
【図７】図６の実施例から取り外した仕切板を示す図で、（Ａ）は正面図、（Ｂ）は側面図である。
【図８】図６のＶＩＩＩ−ＶＩＩＩ線によるガードアーム装置の横断面図。
【図９】仕切板の構造を説明するための線図で、袖板の切断以前の状態を示す。
【図１０】仕切板の構造を説明するための線図で、袖板を切断し、その切断端縁にフランジを形成した状態を示す。
【符号の説明】
２  障子
３  障子枠
４  収納ケース
７  フロント板
８  開口
９  ガードアーム
１１  仕切板
１２  作用部材
１３  逃がし孔
１４  係合突部
１５  支軸
１７  付勢手段
１９  嵌め孔
２１  案内長孔
２２  係合長孔
２６  突片
２７  袖板
２８  フランジ
【図１】
0004152471.tif 000002
【図２】
0004152471.tif 000003
【図３】
0004152471.tif 000004
【図４】
0004152471.tif 000005
【図５】
0004152471.tif 000006
【図６】
0004152471.tif 000007
【図８】
0004152471.tif 000008
【図７】
0004152471.tif 000009
【図９】
0004152471.tif 000010
【図１０】
0004152471.tif 000011